(57)【要約】【課題】従来のコンデンサホルダは、一定の太さ（径）の電解コンデンサよりも細い電解コンデンサを収納した場合に、これらを位置決めした状態で収納、保持するのが困難であった。【解決手段】コンデンサホルダ１は、電解コンデンサ１０１を挿入する多数のコンデンサ挿入部２を格子状に備え、これらコンデンサ挿入部２に電解コンデンサ１０１を挿入して保持する。コンデンサホルダ１は、コンデンサ挿入部２を構成する第１のコンデンサ挿入部構成孔５を設けた下部ホルダプレート３と、下部ホルダプレート３上に重ね合わされていて第１のコンデンサ挿入部構成孔５と共にコンデンサ挿入部２を構成する第２のコンデンサ挿入部構成孔６を設けた上部ホルダプレート４と、下部ホルダプレート３に対して上部ホルダプレート４を相対移動させるホルダプレート駆動ネジ７と、を備えている。【選択図】図１
2010212529.tif 000002
【特許請求の範囲】
【請求項１】
電解コンデンサを挿入する多数のコンデンサ挿入部を格子状に設け、これらコンデンサ挿入部に電解コンデンサを挿入して保持するコンデンサホルダにおいて、
前記コンデンサホルダは、前記コンデンサ挿入部を構成する第１のコンデンサ挿入部構成孔を設けた下部ホルダプレートと、該下部ホルダプレート上に重ね合わされていて前記第１のコンデンサ挿入部構成孔と共に前記コンデンサ挿入部を構成する第２のコンデンサ挿入部構成孔を設けた上部ホルダプレートと、前記下部ホルダプレートに対して前記上部ホルダプレートを移動させるホルダプレート駆動ネジと、を備えていることを特徴とするコンデンサホルダ。
【請求項２】
前記ホルダプレート駆動ネジは、前記上部ホルダプレートに設けた駆動ネジ取付部に取り付けられていて、先端部で前記下部ホルダプレートに設けた被押圧部を押圧したときに発生する反力で前記上部ホルダプレートを前記下部ホルダプレートに対して移動させることを特徴とする請求項１に記載のコンデンサホルダ。
【請求項３】
前記下部ホルダプレートは、前記第１のコンデンサ挿入部構成孔の一側部に、挿入した前記コンデンサの外周面に接触する起立壁を備え、
前記上部ホルダプレートは、前記第２のコンデンサ挿入部構成孔のホルダプレート移動方向の一側部に、前記起立壁とで前記電解コンデンサの外周面を３点支持する一対の垂下壁を備えていることを特徴とする請求項１または２に記載のコンデンサホルダ。
【発明の詳細な説明】
【技術分野】
【０００１】
本発明は、半導体電力変換装置において多数の電解コンデンサを並直列に配置する場合等に使用して好適なコンデンサホルダに関するものである。
【背景技術】
【０００２】
多数の電解コンデンサを並直列に配置して大容量のコンデンサユニットを構成する方法として、例えば、図４に示すように、コンデンサユニットを構成する多数の電解コンデンサ１０１のそれぞれに取付バンド１０２を取り付け、これら取付バンド１０２に設けた取付脚部１０３をネジ１０４で板状のコンデンサホルダ１０５やベースプレートに取り付ける方法が知られている。図４において、１０６は、多数の電解コンデンサ１０１の端子１０７，１０８を接続するために、これら電解コンデンサ１０１の上端側に配置された導体である。前記導体１０６はインダクタンスの発生を抑制するため薄い銅版を重ね合わせるように配置されている。
【０００３】
ところで、上述のコンデンサユニットにおいては、個々の電解コンデンサ１０１をネジ１０４で板状のコンデンサホルダ１０５やベースプレートに取り付けなければならず、取付作業効率が悪いという欠点がある。
【０００４】
そこで、図５に示すように、コンデンサホルダ１１１を、電解コンデンサ１０１を挿入する多数のコンデンサ挿入部１１２を有する格子枠状に形成し、前記コンデンサ挿入部１１２にそれぞれ電解コンデンサ１０１を挿入するとともに、これら電解コンデンサ１０１の端子１０７，１０８を導体１０６で接続するようにしたコンデンサユニットが開発されている。（例えば、特許文献１参照）。
【先行技術文献】
【特許文献】
【０００５】
【特許文献１】実開平１−８３３２４号公報
【発明の概要】
【発明が解決しようとする課題】
【０００６】
ところで、図５に示すコンデンサホルダ１１１は、電解コンデンサ１０１を挿入する多数のコンデンサ挿入部１１２の大きさ（径）が決められているため、コンデンサ挿入部１１２の大きさ（径）に見合う太さ（径）の電解コンデンサ１０１でなければ使用できず、コンデンサ挿入部１１２の大きさ（径）に較べて電解コンデンサ１０１の太さ（径）が細い場合には、電解コンデンサ１０１がコンデンサ挿入部１１２内でガタついてしまう。電解コンデンサ１０１のガタつきを防止するためのスペーサ等のガタつき防止手段が必要となるという問題点があった。
【０００７】
本発明の目的は、太さ（径）の異なる多くの種類の電解コンデンサに対応して、これら電解コンデンサを位置決めした状態で収納、保持することのできるコンデンサホルダを提供することにある。
【課題を解決するための手段】
【０００８】
本発明は、電解コンデンサを挿入する多数のコンデンサ挿入部を格子状に設け、これらコンデンサ挿入部に前記電解コンデンサを挿入して保持するコンデンサホルダにおいて、該コンデンサホルダを、前記コンデンサ挿入部を構成する第１のコンデンサ挿入部構成孔を設けた下部ホルダプレートと、該下部ホルダプレート上に重ね合わされていて前記第１のコンデンサ挿入部構成孔と共に前記コンデンサ挿入部を構成する第２のコンデンサ挿入部構成孔を設けた上部ホルダプレートと、前記下部ホルダプレートに対して前記上部ホルダプレートを移動させるホルダプレート駆動ネジと、で構成した。
【０００９】
前記ホルダプレート駆動ネジを、前記上部ホルダプレートに設けた駆動ネジ取付部に取り付け、前記ホルダプレート駆動ネジの先端で前記下部ホルダプレートに設けた被押圧部を押圧して、前記上部ホルダプレートを前記下部ホルダプレートに対して前記ホルダプレート駆動ネジの移動方向に移動させる構成した。
【００１０】
前記下部ホルダプレートの第１のコンデンサ挿入部構成孔の下部ホルダプレート移動方向の一側部に、挿入した前記電解コンデンサの外周面に接触する起立壁を形成するとともに、前記上部ホルダプレートの第２のコンデンサ挿入部構成孔の下部ホルダプレート移動方向の一側部に、前記起立壁とで前記電解コンデンサの外周面を３点支持する一対の垂下壁を設けた。
【発明の効果】
【００１１】
本発明のコンデンサホルダは、電解コンデンサの下端部を、前記上部ホルダプレートに設けた第２のコンデンサ挿入部構成孔を介して前記下部ホルダプレートに設けた第１のコンデンサ挿入部構成孔に挿入する。そして、前記下部ホルダプレートに対して前記上部ホルダプレートを移動させると、前記第２のコンデンサ挿入部構成孔の内面と前記第１のコンデンサ挿入部構成孔の内面とによって電解コンデンサが挟まれて位置決め固定される。
【００１２】
また、前記ホルダプレート駆動ネジを使用することによって、前記上部ホルダプレートを下部ホルダプレートに対して移動させることができる。
【００１３】
また、前記下部ホルダプレートに設けた起立壁と前記上部ホルダプレートに設けた一対の垂下壁とで、電解コンデンサの外周面の３点を挟着して確実に電解コンデンサをコンデンサ挿入部内に位置決めして保持することができる。
【図面の簡単な説明】
【００１４】
【図１】コンデンサホルダの使用状態を示す斜視図。
【図２】コンデンサホルダの分解斜視図。
【図３】ホルダプレート駆動機構部分の断面図。
【図４】従来例を示す説明図。
【図５】他の従来例を示す説明図。
【発明を実施するための形態】
【００１５】
図１はコンデンサホルダの使用状態を示す斜視図、図２はコンデンサホルダの分解斜視図、図３はホルダプレート駆動機構部分の断面図である。
【００１６】
コンデンサホルダ１は、電解コンデンサ１０１を挿入する多数のコンデンサ挿入部２を格子状に備えている。
【００１７】
コンデンサホルダ１は、下部ホルダプレート３と、該下部ホルダプレート３上にスライド可能に重ね合わされた上部ホルダプレート４と、で構成されている。
【００１８】
前記コンデンサ挿入部２は、前記下部ホルダプレート３に形成された第１のコンデンサ挿入部構成孔５と、上部ホルダプレート４に形成された第２のコンデンサ挿入部構成孔６と、によって構成されている。前記第２のコンデンサ挿入部構成孔６を介して前記第１のコンデンサ挿入部構成孔５に、前記電解コンデンサ１０１の下端部が挿入される。
【００１９】
そして、前記電解コンデンサ１０１を挿入した後に、ホルダプレート駆動ネジ７によって、上部ホルダプレート４を下部ホルダプレート３に対して矢印Ａ方向に移動させることにより、前記第２のコンデンサ挿入部構成孔６の内周面と前記第１のコンデンサ挿入部構成孔５の内周面とで電解コンデンサ１０１の外周面を挟着して保持する。
【００２０】
図２に示すように、下部ホルダプレート３は、金属や合成樹脂により矩形に形成されていて、縦横各３列の桝目状に９個の第１のコンデンサ挿入部構成孔５が形成されている。これら第１のコンデンサ挿入部構成孔５の一側部には、前記電解コンデンサ１０１の外周面に接触する起立壁１１が形成されている。また、下部ホルダプレート３の一側部には、前記起立壁１１と並行に前記ホルダプレート駆動ネジ７の先端で押圧される被押圧部１２が形成されている。また、下部ホルダプレート３の四隅部には、ネジ孔１３が形成されている。
【００２１】
上部ホルダプレート４は、金属や合成樹脂により矩形に形成されていて、両側には略直角な折曲部２１，２２を介して左右一対の脚部２３が形成されていると共に、これら一対の脚部２３の長さ方向の両端には長孔２４が前記下部ホルダプレート３のネジ孔１３と対向する位置に形成されている。
【００２２】
上部ホルダプレート４は、前記一対の脚部２３を前記下部ホルダプレート３上に重ね合わせた状態で前記長孔２４を介して前記ネジ２５により前記下部ホルダプレート３上に取り付けられる。前記上部ホルダプレート４は、前記ネジ２５を締め付ける迄は前記長孔２４の長さの範囲内で前記下部ホルダプレート３上をスライド可能な状態になっている。
【００２３】
前記上部ホルダプレート４のコンデンサ挿入部構成孔６は、前記下部ホルダプレート３の第１のコンデンサ挿入部構成孔５と対向する位置に形成されている。
【００２４】
第２のコンデンサ挿入部構成孔６は、五角形状に形成されていて、その一側部には、前記下部ホルダプレート３の起立壁１１と対向させた状態で一対の垂下壁２６，２７が略く状に配置されている。また、前記上部ホルダプレート４の一方の折曲部２１は、駆動ネジ取付部になっていて、その両側部には左右一対のホルダプレート駆動ネジ７が螺合されている。これら左右一対のホルダプレート駆動ネジ７は、締付方向に回転させることによりその先端で前記下部ホルダプレート３の被押圧部１２を押圧する。そして、押圧したときの反力で前記上部ホルダプレート４を矢印Ａ方向にスライドさせる。なお、図１において、２８は、ホルダプレート駆動ネジ７の位置を固定するロックナットである。
【００２５】
次に、上記コンデンサホルダの使用方法を説明する。先ず、下部ホルダプレート３上に上部ホルダプレート４を重ね合わせて、下部ホルダプレート３の四隅部に設けたネジ孔１３と、上部ホルダプレート４の四隅部に設けた長孔２４の位置を合致させた状態でネジ２５により、下部ホルダプレート３および上部ホルダプレート４をホルダ取付面２９に取り付ける。この場合にネジ２５は締め付けずに、上部ホルダプレート４をスライド可能な状態にしておく。
【００２６】
下部ホルダプレート３と上部ホルダプレート４を重ね合わせることにより、第１のコンデンサ挿入部構成孔５と第２のコンデンサ挿入部構成孔６によりコンデンサ挿入部２が形成される。
【００２７】
次に、図３に示すように、電解コンデンサ１０１をコンデンサ挿入部２、即ち、第２のコンデンサ挿入部構成孔６およびその下方に位置する第１のコンデンサ挿入部構成孔５に挿入する。各コンデンサ挿入部２に電解コンデンサ１０１を挿入したら、これら電解コンデンサ１０１の端子１０７，１０８を導体１０６で接続する。
【００２８】
次に、ホルダプレート駆動ネジ７を締め付けて、その先端で前記被押圧部１２を押圧する。前記被押圧部１２を押圧すると、その反作用で上部ホルダプレート４は、矢印Ａ方向にスライドして、前記下部ホルダプレート３に設けた起立壁１１と前記上部ホルダプレート４に設けた垂下壁２６，２７の３点で電解コンデンサの外周面を挟着して確実に電解コンデンサをコンデンサ挿入部内に保持する。
【産業上の利用可能性】
【００２９】
上記実施例では、コンデンサホルダ１を半導体電力変換装置において多数の電解コンデンサを並直列に配置するコンデンサホルダとして使用した場合を示したが、本発明のコンデンサホルダは、電解コンデンサに限らずケミコン等の円柱状電気部品等にも使用することができる。
【符号の説明】
【００３０】
１…コンデンサホルダ
２…コンデンサ挿入部
３…下部ホルダプレート
４…上部ホルダプレート
５…第１のコンデンサ挿入部構成孔
６…第２のコンデンサ挿入部構成孔
７…ホルダプレート駆動ネジ
１１…起立壁
１２…被押圧部
１３…ネジ孔
２１，２２…折曲部
２３…脚部
２４…長孔
２５…ネジ
２５…長孔
２６，２７…垂下壁
２８…ロックナット
１０１…電解コンデン
１０６…導体
１０７，１０８…端子
【図１】
2010212529.tif 000003
【図２】
2010212529.tif 000004
【図３】
2010212529.tif 000005
【図４】
2010212529.tif 000006
【図５】
2010212529.tif 000007